(57)【要約】【課題】  ＰＭＰの小型ディスプレイでのみ満足できる画質制限を持つ映像信号に新しい著作権管理システムを導入することで、著作権者、消費者、メーカの３者が共存共栄できる新しいビジネスモデルを創造する。【解決手段】  従来の著作権管理ルールである、コピー禁止、コピーワンス、コピーフリーに「記録時と同等の画質で出力される映像信号はコピー禁止だが、記録時に比べ十分に画質を低下させた映像信号にはコピーを許可する新しい著作権管理ルール」を追加する。  著作権者が上記コピーを許可できる画質は現行ＤＶＤ画素数の半分以下程度である一方、ＰＭＰのディスプレイ画素数は水平：３５２、垂直：２４０〜４８０程度なので、水平画素数と垂直画素数の積である全画素数を記録時の半分以下に間引く画質制限方式を用いれば著作権者の権利を守りながら、ＰＭＰを楽しみたい消費者のニーズを同時に満たせることが可能となる。【選択図】  図２
2006101251.tif 000002
【特許請求の範囲】
【請求項１】
記録された映像情報をコピーする条件を規定する著作権管理情報と圧縮された映像情報を少なくともコンテンツ配布媒体に記録し、これを再生する媒体の記録・再生方式において、
映像情報を記録時とほぼ同じ解像度で出力する信号の第１の著作権管理情報をコピー禁止とし、記録時の解像度の半分以下に解像度を落として出力する映像信号の第２の著作権管理情報をコピーフリーあるいはコピーワンスとする同一の映像情報に対し複数の著作権管理情報を持つことを特徴とする新著作権管理システム対応媒体の記録・再生方式。
【請求項２】
請求項１のコンテンツ配布媒体において、
媒体に記録された該圧縮映像情報を伸張し、水平画素数と垂直画素数の積である全画素数を半分以下に間引いた映像信号を該第２の著作権管理情報とともに出力することを特徴とする新著作権管理システム対応媒体の記録・再生方式。
【請求項３】
請求項１のコンテンツ配布媒体において、
第１及び第２の著作権管理情報をデジタル付加情報として該映像情報に多重し、該第２の著作権管理情報を付加したことを示す第３の著作権管理情報を該映像情報の記録エリアとは異なる領域に多重することを特徴とする新著作権管理システム対応媒体の記録・再生方式。
【請求項４】
請求項１のコンテンツ配布媒体において、
第１の著作権管理情報をＣＧＭＳに対応するデジタル付加情報として該映像情報に多重し、第２の著作権管理情報を該映像情報の電子透かし信号として多重することを特徴とする新著作権管理システム対応媒体の記録・再生方式。
【請求項５】
請求項３及び４のコンテンツ配布媒体において、
該第１、第２及び第３の著作権管理情報を読み取り、該第２及び第３の著作権管理情報に従い水平画素数と垂直画素数の積である全画素数を半分以下に間引いた映像信号を該第２の著作権管理情報とともに出力することを特徴とする新著作権管理システム対応媒体の記録・再生方式。
【請求項６】
映像信号の著作権を管理する著作権管理方法であって、
映像信号、コピー禁止とする第１の著作権管理情報及びコピー許可とする第２の著作権管理情報を記録し、
前記映像信号を記録時とほぼ同じ解像度で出力する場合には、前記第１の著作権管理情報を付加して出力し、
前記映像信号を記録時の解像度の半分以下の解像度に落として出力する場合には、前記第２の著作権管理情報を付加して出力することを特徴とする著作権管理方法。
【請求項７】
請求項６記載の著作権管理方法において、
前記コピー許可とする第２の著作権管理情報とは、コピーフリー又はコピーワンスを示す情報であることを特徴とする著作権管理方法。
【請求項８】
請求項６記載の著作権管理方法において、
前記第２の著作権管理情報は、電子透かしにより映像信号に多重されていることを特徴とする著作権管理方法。
【請求項９】
映像信号、コピー禁止とする第１の著作権管理情報及びコピー許可とする第２の著作権管理情報を記録した記録媒体を再生する再生手段と、
前記再生手段により再生された映像信号を記録時とほぼ同じ解像度で出力する場合には、前記第１の著作権管理情報を付加して出力する第１の出力手段と、
前記再生手段により再生された映像信号を記録時の解像度の半分以下の解像度に落として出力する場合には、前記第２の著作権管理情報を付加して出力する第２の出力手段と、
を備えたことを特徴とする再生装置。
【請求項１０】
映像信号、第１及び第２の著作権管理情報を記録した記録媒体を再生する再生手段と、
前記再生手段により再生された第１及び第２の著作権管理情報を検出する著作権管理情報読取手段と、
前記再生手段により再生された映像信号を伸張する伸張手段と、
前記伸張手段により伸張された映像信号の画素数を減少するように変換する画素数変換手段と、
前記画素数変換手段により画素数が変換された映像信号を圧縮する圧縮手段と、
前記伸張手段により伸張された映像信号にCGMS信号を付加する第１の信号処理手段と、
前記画素数変換手段により画素数が変換された映像信号にCGMS信号を付加する第２の信号処理手段と、
前記圧縮手段により圧縮された映像信号にCGMS信号を付加する第３の信号処理手段と、
前記著作権管理情報読取手段が検出した前記第１及び第２の著作権管理情報の内容に応じて前記CGMS信号の内容を設定し、前記第１乃至第３の信号処理手段に出力するCGMS信号制御手段と、
前記第１の信号処理手段により信号処理された映像信号を外部に出力する第１の出力手段と、
前記第２の信号処理手段により信号処理された映像信号を外部に出力する第２の出力手段と、
前記第３の信号処理手段により信号処理された映像信号を外部メモリに出力する第３の出力手段と、を備え、
前記CGMS信号制御手段は、前記第２の著作権管理情報読み取り手段により検出された第１の著作権管理情報がコピー禁止を示すと判断した場合には、CGMS信号をコピー禁止に設定し、前記第１の信号処理手段に出力し、第１の信号処理手段はCGMS信号をコピー禁止を示すものとして前記伸張された映像信号に付加し、
前記CGMS信号制御手段は、前記第２の著作権管理情報読み取り手段により検出された第２の著作権管理情報がコピー許可を示すと判断した場合には、CGMS信号をコピー許可に設定し、前記第２の信号処理手段に出力し、第２の信号処理手段はCGMS信号をコピー許可を示すものとして前記画素数が変換された映像信号に付加し、
前記CGMS信号制御手段は、前記第２の著作権管理情報読み取り手段により検出された第２の著作権管理情報がコピー許可を示すと判断した場合には、CGMS信号をコピー許可に設定し、前記第３の信号処理手段に出力し、第３の信号処理手段はCGMS信号をコピー許可を示すものとして前記圧縮された映像信号に付加することを特徴とする再生装置。
【発明の詳細な説明】
【技術分野】
【０００１】
本発明は記録時の画質を保持した再生映像信号はコピー禁止だが、記録画質に対し十分に画質を低下させた再生映像信号にはコピーを許可するという新しい著作権管理システムに対応したコンテンツ配布媒体の記録・再生方式に関するものである。
【背景技術】
【０００２】
コンテンツ配布媒体の代表はＤＶＤディスクであり、ＤＶＤディスクの著作権を保護する仕組みについては、非特許文献１のＤＶＤ  ＲＯＭの規格書に記載されている。著作権管理情報としては、記録されているコンテンツに対して、コピー禁止、１世代コピー可能（コピーワンス）、またはコピーフリーのコピー条件に関する著作権管理情報ＣＧＭＳ（Ｃｏｐｙ  Ｇｅｎｅｒａｔｉｏｎ  Ｍａｎａｇｅｍｅｎｔ  Ｓｙｓｔｅｍ）が採用されている。
【０００３】
また、このＤＶＤディスク及びＤＶＤプレーヤにおいては、一般ユーザの不正コピーを防ぐＤＶＤ著作権保護システムＣＳＳ（Ｃｏｎｔｅｎｔ  Ｓｃｒａｍｂｌｅ  Ｓｙｓｔｅｍ）の例が非特許文献２に記載されている。
【０００４】
このＤＶＤディスクでは、ほとんど全ての映画ソフトＤＶＤは著作権者の意向に従い、ＤＶＤディスク内のＣＧＭＳ規定エリアにコピー禁止コードが多重されており、そのアナログあるいはデジタル映像信号出力にはコピー禁止を示すＣＧＭＳ−ＡあるいはＣＧＭＳ−Ｄが付加されている。このため、一定の画質低下を施せばコピーを許可する意向が著作権者にある場合でも、現行の著作権管理ルールの基ではコピー禁止のＤＶＤ映像信号を小型ＨＤＤやフラッシュメモリ等へコピーできず、屋外等で小画面付ポータブルムービープレーヤ（ＰＭＰ）でＤＶＤ映画ソフトを楽しむことができなかった。
【０００５】
【非特許文献１】ＤＶＤ  Ｓｐｅｃｉｆｉｃａｔｉｏｎｓ  ｆｏｒ  Ｒｅａｄ−Ｏｎｌｙ  Ｄｉｓｃ  Ｐａｒｔ  １  Ｐｈｙｓｉｃａｌ  Ｓｐｅｃｉｆｉｃａｔｉｏｎｓ  Ｖｅｒｓｉｏｎ  １．０２：Ｓｅｐｔｅｍｂｅｒ  １９９９（第４４頁）Ａｔｔａｃｈｅｄ  Ｓｈｅｅｔｓ  ｆｏｒ  ＤＶＤ  Ｓｐｅｃｉｆｉｃａｔｉｏｎｓ
【非特許文献２】Ｎａｔｉｏｎａｌ  Ｔｅｃｈｎｉｃａｌ  Ｒｅｐｏｒｔ  Ｖｏｌ．４３  Ｎｏ．３  Ｊｕｎ．１９９７（第３３９頁−３４１頁）
【発明の開示】
【発明が解決しようとする課題】
【０００６】
映画ソフトを所有する著作権者は違法コピーを極力減らしたい一方、自分たちが販売するＤＶＤ映画に代表されるコンテンツ事業における付加価値の増加、即ち新しい市場ニーズの発掘を熱望している。市場ニーズである「いつでも、どこでも映画を楽しみたい”ユビキタスムービー”」を実現する近道はＤＶＤ映画ソフトをＰＭＰでも楽しめるようにすることであり、具体的にはＰＭＰの小型ディスプレイでのみ満足できる画質制限を持つ映像信号に新しい著作権管理システムを導入することで、著作権者、消費者、メーカの三者が共存共栄できる新しいビジネスモデルを創造することが課題といえる。
【０００７】
本発明の目的は、著作権者、消費者及びメーカのメリットに資することである。
【課題を解決するための手段】
【０００８】
前記目的は以下のようにして達せられる。従来の著作権管理ルールである、コピー禁止、コピーワンス、コピーフリーに「記録時と同等の画質で出力される映像信号はコピー禁止だが、記録時に比べ十分に画質を低下させた映像信号にはコピーを許可する新しい著作権管理ルール」を追加する。
【０００９】
著作権者が上記コピーを許可できる画質は現行ＤＶＤ画素数（水平画素数：７０４、垂直画素数：４８０）の半分以下程度である一方、ＰＭＰのディスプレイ画素数は水平：３５２、垂直：２４０〜４８０程度なので、水平画素数と垂直画素数の積である全画素数を記録時の半分以下に間引く画質制限方式を用いれば著作権者の権利を守りながら、ＰＭＰを楽しみたい消費者のニーズを同時に満たせる。
【発明の効果】
【００１０】
本発明によれば、著作権者、メーカ及び消費者のメリットに資する。
【発明を実施するための最良の形態】
【００１１】
本発明は記録時の画質を保持した再生映像信号はコピー禁止だが、記録画質に対し十分に画質を低下させた再生映像信号にはコピーを許可するという新しい著作権管理システムを開発し、画質を低下させた映画ソフトの再生映像信号をＰＭＰの記録媒体に記録できるようにし、ＰＭＰで再生するのに好適なコンテンツ配布媒体の記録・再生方式に関するものである。
【実施例１】
【００１２】
以下本発明の実施例について説明する。
【００１３】
図１はコンテンツ配布媒体の一実施例の構成例を示したものである。１は光ディスク媒体、２は新著作権管理システムを採用していることを示す情報が記録されるエリア、３は映像や音声情報を含むコンテンツと新著作権管理システムに対応できる著作権管理情報が記録されるエリアである。
【００１４】
次に、図１に示した実施例のコンテンツ配布媒体について説明する。光ディスク媒体１としてＤＶＤと同じ直径１２ｃｍの光ディスクを用い、エリア３には水平画素数７０４、垂直画素数４８０の全画素数３３７Ｋの映像情報がＭＰＥＧ２圧縮された映像データとＤｏｌｂｙ  ＡＣ３圧縮された音声データ、字幕データ及びＣＧＭＳをコピー禁止に規定する従来の第１の著作権管理情報と新著作権管理システムに対応する「画素数を記録時の半分以下である１６８Ｋに制限した映像信号出力にはコピーを許可する」ことを意味する第２の新著作権管理情報が記録される。第２の新著作権管理情報の記録方法として、従来のＤＶＤのＤａｔａ  ＦｒａｍｅのＣｏｐｙｒｉｇｈｔ  Ｍａｎａｇｅｍｅｎｔ  Ｉｎｆｏｒｍａｔｉｏｎ（ＣＰＲ＿ＭＡＩ）記録エリアのＣＧＭＳの２ｂｉｔを使う場合は”０１”のｒｅｓｅｒｖｅｄを流用することもできる。この場合の著作権管理情報の定義は「ＣＳＳとＣＧＭＳの”０１”の並存は画素数制限した再生信号のコピーを許可」となる。エリア２のリードインエリアの中には「光ディスクが新著作権管理システムを採用している」ことを示す第３の新著作権管理情報が記録される。第３の新著作権管理情報としては上記に加え、記録映像の画素数情報やコピーを許容する画素数情報、あるいは画素数制限した場合のコピー許諾がコピーフリーかコピーワンスかを規定する情報を記録することもできる。
【００１５】
第２の新著作権管理情報としては現行ＤＶＤが採用するＣＧＭＳを規定する著作権管理情報と同形式のデータを追加する方式でも良いし、該映像情報の中に電子透かし（Ｖｉｄｅｏ  Ｗａｔｅｒ  Ｍａｒｋ：ＷＭ）形式で第２の新著作権管理情報を埋め込む方式とすることもできる。
【００１６】
ＷＭ方式とする場合は、１ビットのＷＭであるＶｅｉｌを採用し、Ｖｅｉｌが存在すれば「上記画素数制限があればコピー許可」を意味し、Ｖｅｉｌが存在しない場合は「画素数制限してもコピー禁止」を規定することが出来る。
【００１７】
２ビット以上のＷＭを採用する場合は、従来のコピー禁止コードに加え画素数制限付コピー許可コードの新著作権管理情報を設けることが出来る。
【００１８】
第２及び第３の新著作権管理情報を追加する目的は、新著作権管理システム対応のＤＶＤ媒体が従来のＤＶＤプレーヤでは従来通り再生され、新著作権管理システム対応の新ＤＶＤプレーヤのみがコピー可能な画素数制限された映像信号出力を出せるようにすることである。したがって、第２あるいは第３の新著作権管理情報だけでも上記を実現できる。
【００１９】
以上は現行のＤＶＤフォーマットに本発明を実施する場合の例であるが、Ｂｌｕ−ｒａｙ  ＤｉｓｃフォーマットやＨＤ  ＤＶＤフォーマットに本発明を実施する場合は以下のようになる。
【００２０】
エリア３に記録されるＨＤ映像情報は水平画素数１９２０、垂直画素数１０８０であり全画素数は２０７３Ｋとなり、この映像情報がＭＰＥＧ２／ＨＬ、Ｈ．２６４  ＡＶＣ、ＶＣ９で圧縮された映像データ他が記録される。この場合の著作権管理ルールは以下となる。
【００２１】
記録時と同等の画素数である２０７３Ｋ同等の再生映像信号出力には暗号化とコピー禁止コードの付加を義務付け、暗号化しない再生映像信号出力には全画素数を５４０Ｋ以下に制限することとコピー禁止コードのＣＧＭＳコードを付加することを義務付け、全画素数を１６８Ｋ以下に制限した再生映像信号出力にのみコピー許可を示すＣＧＭＳコードを認める。
【００２２】
図２は本発明のコンテンツ配布媒体１の再生装置の構成例を示したものである。
【００２３】
図２において、４は新著作権管理システム対応のＤＶＤプレーヤ装置、５はＤＶＤ駆動回路、６は第１の信号処理回路、７はＭＰＥＧ２、Ｈ．２６４  ＡＶＣやＶＣ９等の映像データ伸長回路、８，９，１０は夫々第１、第２、第３の著作権管理情報読み取り回路、１１はＣＧＭＳ信号制御回路、１２は画素数変換回路、１３，１４，１６は夫々第２、第３、第４の信号処理回路、１５は映像データ圧縮回路、１７，１８，１９は夫々第１、第２、第３の映像信号出力端子、２０は外部メモリである。
【００２４】
第２図では、本発明の光ディスク媒体１に記録されたデジタルデータがＤＶＤ駆動回路５で読み出され、第１の信号処理回路６により復調され、エラー訂正された各種データが取り出される。第１の著作権管理情報読み取り回路８は上記各種データ中のエリア２から読み出された第３の新著作権管理情報を検出し、媒体１が新著作権管理システムを採用しているか否かを判別する。
【００２５】
第２の著作権管理データ読み取り回路９はエリア３に記録されたＣＧＭＳを規定するＤＶＤフォーマット形式の従来の第１の著作権管理情報及び第２の著作権管理情報を検出し、このデータが画総数を制限された映像信号出力のコピーを許可か否かを判別する。
【００２６】
エラー訂正された各種データの中の映像データは映像データ伸長回路７で元の非圧縮映像データに戻される。
【００２７】
第３の著作権管理データ読み取り回路１０はこの非圧縮映像データの中からエリア３に記録された電子透かし形式の第２の新著作権管理情報を検出し、この第２の新著作権管理情報が画素数制限された映像信号出力のコピーを許可か否かを判別する。
【００２８】
ＣＧＭＳ信号制御回路１１は読み取り回路９が読み取った従来の第１の著作権管理情報がコピー禁止と判別すれば、画素数制限のない映像信号出力に付加されるＣＧＭＳ−Ａ，ＣＧＭＳ−Ｄをコピー禁止に設定する。
【００２９】
ＣＧＭＳ信号制御回路１１は読み取り回路８，９，１０のいずれかが「画素数制限した映像信号出力にはコピー許可」と判別すれば、画素数制限のある映像信号出力に付加されるＣＧＭＳ−Ａ，ＣＧＭＳ−Ｄをコピーフリーかコピーワンスに設定する。読み取り回路８，９，１０の役割は「新著作権管理情報に従い著作権管理を行なわない従来のＤＶＤプレーヤにはコピーを許可せず、新著作権管理情報に準拠する新しいＤＶＤプレーヤだけにコピーを許可する」ことなので、ＣＧＭＳの制御は上記に限らず、読み取り回路８及び９の両方がコピー許可の場合あるいは読み取り回路８及び１０の両方がコピー許可の場合にのみ「画素数制限した映像信号出力のコピーを許可」とすることも出来る。更にコピー許可を厳重に管理したい場合は読み取り回路８，９，１０の全てがコピー許可の時のみ「画素数制限した映像信号出力のコピーを許可」とすればよい。
【００３０】
映像データ伸長回路７から出力された非圧縮映像データには第２の信号処理回路１３によりＣＧＭＳ信号制御回路１１で制御されたＣＧＭＳ−ＡあるいはＣＧＭＳ−Ｄが付加された後に第１の映像信号出力端子に導かれる。
【００３１】
映像データ伸長回路７のもう一つの出力は画素数変換回路１２に導かれ，非圧縮映像データの画総数が７０４×４８０の場合は、画素数変換回路１２で水平画素数７０４が半分の３５２に間引かれ画素数３５２×４８０に変換され、第３の信号処理回路１４によりコピーフリーかコピーワンスのＣＧＭＳ−ＡあるいはＣＧＭＳ−Ｄが付加された後に第２の映像信号出力端子１８に導かれる。
【００３２】
画素数変換回路１２のもう一つの出力はＨ．２６４  ＡＶＣやＶＣ９等の映像データ圧縮回路１５で圧縮映像データに変換され、第４の信号処理回路１６でコピーフリーあるいはコピーワンスを表す著作権管理情報が付加された後に第３の映像信号出力端子１９に導かれ、ＳＤカードや小型ＨＤＤ等の外部メモリ２０に記録される。第２図のＤＶＤプレーヤ装置４には同一装置内に映像データ伸長回路７と映像データ圧縮回路１５を内蔵しているので、圧縮回路１５での圧縮性能の向上を狙い伸長回路７で検出される動きベクトル等の情報を圧縮回路１５に伝え、圧縮回路１５をいわゆる２ｐａｓｓ方式の圧縮回路とすることもできる。
【００３３】
図３は本発明の画素数変換回路１２の変換内容の一例を表に表したものである。
回路１２の入力信号である映像データの画素数の代表例は（Ａ）水平７０４、垂直４８０、（Ｂ）水平６４０、垂直４８０、（Ｃ）水平１９２０，垂直１０８０の３種類に大別できる。
【００３４】
一方、ＰＭＰに搭載されるディスプレイの画素数は（ａ）水平３２０〜３５２，垂直４８０、（ｂ）水平４８０，垂直２７０，（ｃ）水平３２０，垂直２４０の３種類に大別できる。
【００３５】
したがって、入力信号の画素数とＰＭＰのディスプレイの画素数に対応して、ユーザが図３に一例を示す画素数変換テーブルを選択し、外部メモリの容量に余裕がある場合は画質優先となる多い目の画総数を選べるし、外部メモリに余裕のない場合は画質を多少犠牲にした少な目の画素数を選択できる。
【００３６】
また、ユーザが選択した画素数変換テーブルの内容（選択結果）を圧縮映像データとともに外部メモリ２０に記録し、ＰＭＰでの映像データ再生時に再生画像が最適になるように映像データ伸張処理に利用することも出来る。
【００３７】
図２、図３では映像情報についてのみ言及したが、音声データについてもＰＭＰの小型メモリやヘッドフォーン主体の視聴環境に相応しい変換が望ましい場合は、コンテンツ配布媒体に記録されたＤｏｌｂｙ  ＡＣ３やＭＰＥＧ１音声データをＭＰ３，ＡＡＣ等の高圧縮音声データに変換した後に前述した画素数制限し高圧縮した映像データとともに外部メモリに記録することもできる。
図４は、本発明の外部メモリを装着したＰＭＰの構成例を示したものである。
図４において、２０は記録済みの外部メモリ、４０は小型ディスプレイ付のＰＭＰ、４１は記録された映像データを再生する信号処理回路、４２は記録された映像データの圧縮方式、選択画素数等の画素変換情報読出し回路、４３は映像データ伸張回路、４４は小型ディスプレイである。
【００３８】
図４では、外部メモリ２０に記録された映像データが読み出され、信号処理回路４１でデータが復調され、エラー訂正処理されたデータが映像データ伸長回路４３に導かれる。画像変換情報読出し回路４２は、映像データの圧縮方式、選択画素数を読出し、映像データ伸長回路４３に入力し、映像データ伸長回路４３の伸長方式の選択及び画素数制御等の処理を行い、画素数を制限した非圧縮映像データを小型ディスプレイ４４に出力する。
【００３９】
本発明は、記録画質を保持した映像信号は従来どおりコピー禁止だがＰＭＰで楽しむのに不都合のない程度に画質制限を施した映像信号にはコピーフリーあるいはコピーワンスを許可する新しい著作権管理ルールを開発し、画質制限した映画ソフトをＰＭＰ用の記録媒体に記録できるようにし、”ユビキタスムービー”事業を早期に実現するものである。以上の実施例によれば、ＤＶＤ等の映画ソフトにおいて、記録画質を保持した映像信号は従来通りコピー禁止を維持し、画質制限した映像信号はコピーを許可する新しい著作権管理情報を付加することにより、ＰＭＰ用の記録媒体に記録できるようにし、ＰＭＰの小型ディスプレイで手軽に映画ソフトを楽しむことが出来る。その結果、著作権者は新著作権管理システム対応のコンテンツ配布媒体に従来のＤＶＤ媒体より高い付加価値を実現でき、メーカは新著作権管理システム対応のＤＶＤプレーヤやＰＭＰの事業を拡大でき、消費者は早期かつ安価にユビキタスムービーを楽しむことができる。それ故に、著作権者、メーカ及び消費者のメリットに資するという本発明の目的を達成できる。
【００４０】
本発明における第２の新著作権管理情報にＷＭ（Ｗａｔｅｒ  Ｍａｒｋ）を用いる場合は、ＷＭを普及させる新しいビジネスモデルを併せて提供できることになる。即ち、従来のＷＭは著作権を保護するだけの目的しか持たなかった為、著作権所有者だけにしかメリットがなく、ＷＭ読み取り機能を搭載する機器メーカにも、エンドユーザにも全くメリットがなく、このためＷＭの普及が実現していない。本発明ではＷＭが上記の目的に加え、「画素数制限した映像信号出力はコピー可」というメーカにとっては機器の付加価値向上を示し、エンドユーザにとっては「ユビキタスムービーの実現」を示す。
【００４１】
尚、第１の著作権保護情報がコピー禁止であっても、ムーブの場合には、出力された映像データがコピーされるのを許可するようにしても良い。
【００４２】
尚、第２の著作権保護情報がコピー許可であっても、ムーブの場合のみ、コピーを許可するようにしても良い。すなわち、元の媒体からは映像データを消去し、メモリ等に当該映像データを画素数制限したものを出力・記録するようにしても良い。
【産業上の利用可能性】
【００４３】
本発明は、屋外等で映画等の映像情報を小型ディスプレイで楽しむ再生装置において、解像度制限をした低画質の映像情報をコピーした小型ＨＤＤやフラッシュメモリ等の外部メモリを再生装置で再生することが出来るＰＭＰシステムに有効である。
【図面の簡単な説明】
【００４４】
【図１】本発明のコンテンツ配布媒体の実施例を示す図
【図２】本発明のコンテンツ配布媒体の再生装置の実施例を示すブロック図
【図３】本発明の画素変換回路の変換内容の一実施例を示す表
【図４】本発明のＰＭＰの実施例を示すブロック図
【符号の説明】
【００４５】
１…光ディスク媒体、２…第３の著作権管理情報の記録エリア、３…コンテンツと第２の著作権管理情報の記録エリア、５…ＤＶＤ駆動回路、６…第１の信号処理回路、７…映像データ伸長回路、８…第１の著作権管理情報読み取り回路、９…第２の著作権管理情報読み取り回路、１０…第３の著作権管理情報読み取り回路、１１…ＣＧＭＳ信号制御回路、１２…画素数変換回路、１３…第２の信号処理回路、１４…第３の信号処理回路、１５…映像データ圧縮回路、１６…第４の信号処理回路、２０…外部メモリ、４２…画像変換情報読み出し回路、４３…映像データ伸長回路、４４…小型ディスプレイ
【図１】
2006101251.tif 000003
【図２】
2006101251.tif 000004
【図３】
2006101251.tif 000005
【図４】
2006101251.tif 000006